(57)【要約】【解決手段】本発明は、シールストリップ（１１０）を有するロッドレスシリンダ（１０１）のためのエンドキャップに関する。エンドキャップは、エンドキャップ本体（１０２，１０４）及び溝（１０５）を備えている。エンドキャップ本体（１０２．１０４）は、シリンダ本体（１０１）に封着されるように構成されている。溝（１０５）は、エンドキャップ本体（１０２，１０４）に形成され、シールストリップ（１１０）を受け入れるように構成されている。エンドキャップは、エンドキャップ本体（１０２，１０４）に軸着されるクランプレバー（１５）を備え、クランプレバー（１５）は、実質的に閉じた位置に移動するときに、溝（１０５）内において、シールストリップ（１１０）を少なくとも部分的にクランプするクランプ面（９０）を有している。【選択図】図６
2010523905.tif 000002
【特許請求の範囲】
【請求項１】
シールストリップを有するロッドレスシリンダのためのエンドキャップであって、
ａ）シリンダ本体（１０１）に封着されるように構成されたエンドキャップ本体（１０２．１０４）と、
ｂ）前記エンドキャップ本体（１０２，１０４）に形成され、前記シールストリップ（１１）を受け入れるように構成された溝（１０５）と、
ｃ）前記エンドキャップ本体（１０２，１０４）に軸着されるクランプレバー（１５）と、
を備え、
前記クランプレバー（１５）は、実質的に閉じた位置に移動するときに、前記溝（１０５）内において、前記シールストリップ（１１０）を少なくとも部分的にクランプするクランプ面（９０）を有していることを特徴とするエンドキャップ。
【請求項２】
前記溝（１０５）は、前記エンドキャップ（１０２）を形成する１面以上の壁（１０７ａ，１０７ｂ，１０７ｃ，１０７ｄ，１０７ｅ，１０７ｆ，１０７ｇ，１０７ｈ）を備えることを特徴とする請求項１に記載のロッドレスシリンダのためのエンドキャップ。
【請求項３】
前記クランプレバー（１５）は、前記エンドキャップ（１０２）上の前記溝（１０５）に解除可能に固定されていることを特徴とする請求項１に記載のロッドレスシリンダのためのエンドキャップ。
【請求項４】
前記クランプレバー（１５）を解除可能に固定する、前記クランプレバー（１５）に設けられた１つ以上のロック部材（３０，３１，６０，６１）を更に備えることを特徴とする請求項１に記載のロッドレスシリンダのためのエンドキャップ。
【請求項５】
前記エンドキャップ（１０２）にパチッと掛止する柄（３２）及びフック（３３）を有する、前記クランプレバー（１５）上の少なくとも１つのロック部材（３０，３１）を更に備えることを特徴とする請求項１に記載のロッドレスシリンダのためのエンドキャップ。
【請求項６】
前記クランプレバー（１５）にパチッと掛止する柄（６５，６６）及びフック（６７）を有する、前記クランプレバー（１５）上の少なくとも１つのロック部材（６０，６１）を更に備えることを特徴とする請求項１に記載のロッドレスシリンダのためのエンドキャップ。
【請求項７】
閉じる方向への前記クランプレバー（１５）の回転を制限する、前記クランプレバー（１５）に設けられたストッパー（３４，３５）を更に備えることを特徴とする請求項１に記載のロッドレスシリンダのためのエンドキャップ。
【請求項８】
前記クランプ面（９０）は、前記クランプレバー（１５）の回転軸（１４）に対して離心していることを特徴とする請求項１に記載のロッドレスシリンダのためのエンドキャップ。
【請求項９】
前記クランプレバー（１５）は、実質的に閉じた位置に移動するときに、前記シールストリップ（１１０）に対して張力を与えることを特徴とする請求項１に記載のロッドレスシリンダのためのエンドキャップ。
【請求項１０】
前記クランプレバー（１５）の下側（１７）は、前記クランプレバー（１５）の剛性を高める複数のリブ（５０）を備えていることを特徴とする請求項１に記載のロッドレスシリンダのためのエンドキャップ。
【請求項１１】
前記クランプレバー（１５）の下側（１７）は、前記クランプレバー（１５）の剛性を高める格子構造（５２）を形成する複数のリブ（５０）を備えていることを特徴とする請求項１に記載のロッドレスシリンダのためのエンドキャップ。
【請求項１２】
前記クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記クランプレバー（１５）が実質的に閉じた位置に移動するときに、前記エンドキャップ（１０２）に解除可能に固定され、
ｃ）前記第二部位（１９）は、前記クランプレバー（１５）が実質的に閉じた位置に移動するときに、前記第一部位（１８）に解除可能に固定されることを特徴とする請求項１に記載のロッドレスシリンダのためのエンドキャップ。
【請求項１３】
ａ）前記クランプレバーは、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記クランプレバー（１５）が実質的に閉じた位置に移動するときに、前記エンドキャップ（１０２）に解除可能に固定され、
ｃ）前記第二部位（１９）は、前記クランプレバー（１５）が実質的に閉じた位置に移動するときに、前記第一部位（１８）に解除可能に固定され、
ｄ）前記溝（１０５）には、前記クランプレバー（１５）の前記第二部位に渡って延びる少なくとも１つの張出し部（１０８，１０９）が設けられていること特徴とする請求項１に記載のロッドレスシリンダのためのエンドキャップ。
【請求項１４】
前記クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一及び第二ロック部材（３０，３１）は、前記クランプレバー（１５）が実質的に閉じた位置に移動するときに、前記クランプレバー（１５）を前記溝（１０５）に解除可能に固定し、
ｃ）前記第二部位（１９）は、柄（６５，６６）及びフック（６７）を有する第三及び第四ロック部材（６０，６１）を有し、前記第三及び第四ロック部材（６０，６１）は、前記クランプレバー（１５）が実質的に閉じた位置に移動するときに、前記第二部位（１９）を前記第一部位（１８）に解除可能に固定することを特徴とする請求項１に記載のロッドレスシリンダのためのエンドキャップ。
【請求項１５】
ａ）前記クランプレバー（１５）は、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一及び第二ロック部材（３０，３１）は、前記クランプレバー（１５）が実質的に閉じた位置に移動するときに、前記クランプレバー（１５）を前記溝（１０５）に解除可能に固定し、
ｃ）前記第二部位（１９）は、柄（６５，６６）及びフック（６７）を有する第三及び第四ロック部材（６０，６１）を有し、前記第三及び第四ロック部材（６０，６１）は、前記クランプレバー（１５）が実質的に閉じた位置に移動するときに、前記第二部位（１９）を前記第一部位（１８）に解除可能に固定し、
ｄ）前記溝（１０５）には、前記クランプレバー（１５）の前記第二部位（１９）に渡って延びる少なくとも１つの張出し部（１０８及び／又は１０９）が設けられていること特徴とする請求項１に記載のロッドレスシリンダのためのエンドキャップ。
【請求項１６】
ａ）第一端部、第二端部、及びスロットが設けられたシリンダ本体（１０１）と、
ｂ）前記スロットを実質的に密封するように構成されたシールストリップ（１１０）と、
ｃ）前記シリンダ本体（１０１）の前記第一及び第二端部に封着される第一及び第二エンドキャップ（１０２，１０４）と、
を備え、
i）第一及び第二溝（１０５）が、前記第一及び第二エンドキャップ（１０２，１０４）内に形成され、前記シールストリップ（１１０）を受け入れるように構成され、
ii）第一及び第二クランプレバー（１５）が、前記第一及び第二エンドキャップ（１０２，１０４）に軸着され、前記第一及び第二クランプレバー（１５）が実質的に閉じた位置に移動するときに、前記溝（１０５）内において、前記シールストリップ（１１０）を少なくとも部分的にクランプするクランプ面（９０）を有することを特徴とするロッドレスシリンダ。
【請求項１７】
前記溝（１０５）は、前記エンドキャップを形成する１面以上の壁（１０７ａ，１０７ｂ，１０７ｃ，１０７ｄ，１０７ｅ，１０７ｆ，１０７ｇ，１０７ｈ）を備えることを特徴とする請求項１６記載のロッドレスシリンダ。
【請求項１８】
前記第一及び第二クランプレバー（１５）は、前記第一及び第二エンドキャップ（１０２，１０４）上の前記溝（１０５）に解除可能に固定されていることを特徴とする請求項１６に記載のロッドレスシリンダ。
【請求項１９】
前記クランプレバー（１５）を解除可能に固定する、前記第一クランプレバー（１５）及び前記第二クランプレバー（１５）に設けられた少なくとも１つのロック部材（３０，３１，６０，６１）を更に備えることを特徴とする請求項１６に記載のロッドレスシリンダ。
【請求項２０】
前記エンドキャップ（１０２，１０４）にパチッと掛止する柄（３２）及びフック（３３）を有する、前記第一クランプレバー（１５）及び前記第二クランプレバー（１５）上の少なくとも１つのロック部材（３０，３１）を更に備えることを特徴とする請求項１６に記載のロッドレスシリンダ。
【請求項２１】
前記クランプレバー（１５）にパチッと掛止する柄（６５，６６）及びフック（６７）を有する、前記第一クランプレバー（１５）及び第二クランプレバー（１５）上の少なくとも１つのロック部材（６０，６１）を更に備えることを特徴とする請求項１６に記載のロッドレスシリンダ。
【請求項２２】
開く方向への前記クランプレバー（１５）の回転を制限する、前記第一及び第二クランプレバー（１５）に設けられたストッパー（５１）を更に備えることを特徴とする請求項１６に記載のロッドレスシリンダ。
【請求項２３】
前記第一及び第二クランプレバー（１５）の前記クランプ面（９０）は、前記クランプレバー（１５）の回転軸（１４）に対して離心していることを特徴とする請求項１６に記載のロッドレスシリンダ。
【請求項２４】
前記第一及び第二クランプレバー（１５）の下側（１７）は、前記第一及び第二クランプレバー（１５）の剛性を高める複数のリブ（５０）を備えていることを特徴とする請求項１６に記載のロッドレスシリンダ。
【請求項２５】
前記第一及び第二クランプレバー（１５）の下側（１７）は、前記第一及び第二クランプレバー（１５）の剛性を高める格子構造（５２）を形成する複数のリブ（５０）を備えていることを特徴とする請求項１６に記載のロッドレスシリンダ。
【請求項２６】
前記第一及び第二クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記第一及び第二クランプレバー（１５）が実質的に閉じた位置に移動するときに、前記エンドキャップ（１０２）に解除可能に固定され、
ｃ）前記第二部位（１９）は、前記第一及び第二クランプレバー（１５）が実質的に閉じた位置に移動するときに、前記第一部位（１８）に解除可能に固定されることを特徴とする請求項１６に記載のロッドレスシリンダ。
【請求項２７】
ａ）前記第一及び第二クランプレバー（１５）は、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記第一及び第二クランプレバー（１５）が実質的に閉じた位置に移動するときに、前記エンドキャップ（１０２，１０４）に解除可能に固定され、
ｃ）前記第二部位（１９）は、前記第一及び第二クランプレバー（１５）が実質的に閉じた位置に移動するときに、前記第一部位（１８）に解除可能に固定され、
ｄ）前記第一及び第二エンドキャップ（１０２，１０４）の前記溝（１０５）には、前記第一及び第二クランプレバー（１５）の前記第二部位（１９）に渡って延びる少なくとも１つの張出し部（１０８，１０９）が設けられていること特徴とする請求項１６に記載のロッドレスシリンダ。
【請求項２８】
前記第一及び第二クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一部位（１８）上の前記第一及び第二ロック部材（３０，３１）は、前記第一及び第二クランプレバー（１５）が実質的に閉じた位置に移動するときに、前記溝（１０５）に解除可能に固定され、
ｃ）前記第二部位（１９）は、柄（６５，６６）及びフック（６７）を有する第三及び第四ロック部材（６０，６１）を有し、前記第二部位（１９）上の前記第三及び第四ロック部材（６０，６１）は、前記第一及び第二クランプレバー（１５）が実質的に閉じた位置に移動するときに、前記第一部位（１８）に解除可能に固定されることを特徴とする請求項１６に記載のロッドレスシリンダ。
【請求項２９】
ａ）前記第一及び第二クランプレバー（１５）は、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一部位（１８）上の前記第一及び第二ロック部材（３０，３１）は、前記第一及び第二クランプレバー（１５）が実質的に閉じた位置に移動するときに、前記溝（１０５）に解除可能に固定され、
ｃ）前記第二部位（１９）は、柄（６５，６６）及びフック（６７）を有する第三及び第四ロック部材（６０，６１）を有し、前記第二部位（１９）上の前記第三及び第四ロック部材（６０，６１）は、前記クランプレバー（１５）が実質的に閉じた位置に移動するときに、前記第一部位（１８）に解除可能に固定され、
ｄ）前記第一及び第二エンドキャップ（１０２，１０４）の前記溝（１０５）には、前記第一及び第二クランプレバー（１５）の前記第二部位（１９）に渡って延びる少なくとも１つの張出し部（１０８及び／又は１０９）が設けられていること特徴とする請求項１６に記載のロッドレスシリンダ。
【請求項３０】
ａ）第一端部、第二端部、及びスロットが設けられたシリンダ本体（１０１）と、
ｂ）前記スロットを実質的に密封するように構成されたシールストリップ（１１０）と、
ｃ）前記シリンダ本体（１０１）の前記第一及び第二端部に封着される第一及び第二エンドキャップ（１０２，１０４）と、
を備え、
i）第一及び第二溝（１０５）が、前記第一及び第二エンドキャップ（１０２，１０４）内に形成され、前記シールストリップ（１１０）を受け入れるように構成され、
ii）第一及び第二クランプレバー（１５）が、前記第一及び第二エンドキャップ（１０２，１０４）に軸着され、前記第一及び第二クランプレバー（１５）が実質的に閉じた位置に移動するときに、前記溝（１０５）内において、前記シールストリップ（１１０）を少なくとも部分的にクランプし、前記シールストリップ（１１０）に張力を印加するクランプ面（９０）を有することを特徴とするロッドレスシリンダ。
【請求項３１】
前記溝（１０５）は、前記エンドキャップ（１０２，１０４）を形成する１面以上の壁（１０７ａ，１０７ｂ，１０７ｃ，１０７ｄ，１０７ｅ，１０７ｆ，１０７ｇ，１０７ｈ）を備えることを特徴とする請求項３０記載のロッドレスシリンダ。
【請求項３２】
前記第一及び第二クランプレバー（１５）は、前記第一及び第二エンドキャップ（１０２，１０４）上の前記溝（１０５）に解除可能に固定されていることを特徴とする請求項３０に記載のロッドレスシリンダ。
【請求項３３】
前記クランプレバー（１５）を解除可能に固定する、前記第一クランプレバー（１５）及び前記第二クランプレバー（１５）に設けられた少なくとも１つのロック部材（３０，３１，６０，６１）を更に備えることを特徴とする請求項３０に記載のロッドレスシリンダ。
【請求項３４】
前記エンドキャップ（１０２，１０４）にパチッと掛止する柄（３２）及びフック（３３）を有する、前記第一クランプレバー（１５）及び前記第二クランプレバー（１５）上の少なくとも１つのロック部材（３０，３１）を更に備えることを特徴とする請求項３０に記載のロッドレスシリンダ。
【請求項３５】
前記クランプレバー（１５）にパチッと掛止する柄（６５，６６）及びフック（６７）を有する、前記第一クランプレバー（１５）及び第二クランプレバー（１５）上の少なくとも１つのロック部材（６０，６１）を更に備えることを特徴とする請求項３０に記載のロッドレスシリンダ。
【請求項３６】
開く方向への前記クランプレバー（１５）の回転を制限する、前記第一及び第二クランプレバー（１５）に設けられたストッパー（５１）を更に備えることを特徴とする請求項３０に記載のロッドレスシリンダ。
【請求項３７】
前記第一及び第二クランプレバー（１５）の前記クランプ面（９０）は、前記クランプレバー（１５）の回転軸（１４）に対して離心していることを特徴とする請求項３０に記載のロッドレスシリンダ。
【請求項３８】
前記第一及び第二クランプレバー（１５）の下側（１７）は、前記第一及び第二クランプレバー（１５）の剛性を高める複数のリブ（５０）を備えていることを特徴とする請求項３０に記載のロッドレスシリンダ。
【請求項３９】
前記第一及び第二クランプレバー（１５）の下側（１７）は、前記第一及び第二クランプレバー（１５）の剛性を高める格子構造（５２）を形成する複数のリブ（５０）を備えていることを特徴とする請求項３０に記載のロッドレスシリンダ。
【請求項４０】
前記第一及び第二クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記第一及び第二クランプレバー（１５）が実質的に閉じた位置に移動するときに、前記エンドキャップ（１０２）に解除可能に固定され、
ｃ）前記第二部位（１９）は、前記第一及び第二クランプレバー（１５）が実質的に閉じた位置に移動するときに、前記第一部位（１８）に解除可能に固定されることを特徴とする請求項３０に記載のロッドレスシリンダ。
【請求項４１】
ａ）前記第一及び第二クランプレバー（１５）は、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）を有し、前記第一及び第二クランプレバー（１５）が実質的に閉じた位置に移動するときに、前記エンドキャップ（１０２，１０４）に解除可能に固定され、
ｃ）前記第二部位（１９）は、前記第一及び第二クランプレバー（１５）が実質的に閉じた位置に移動するときに、前記第一部位（１８）に解除可能に固定され、
ｄ）前記第一及び第二エンドキャップ（１０２，１０４）の前記溝には、前記第一及び第二クランプレバー（１５）の前記第二部位（１９）に渡って延びる少なくとも１つの張出し部が設けられていること特徴とする請求項３０に記載のロッドレスシリンダ。
【請求項４２】
前記第一及び第二クランプレバーは、
ａ）第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一部位（１８）上の前記第一及び第二ロック部材（３０，３１）は、前記第一及び第二クランプレバー（１５）が実質的に閉じた位置に移動するときに、前記溝（１０５）に解除可能に固定され、
ｃ）前記第二部位（１９）は、柄（６５，６６）及びフック（６７）を有する第三及び第四ロック部材（６０，６１）を有し、前記第二部位（１９）上の前記第三及び第四ロック部材（６０，６１）は、前記第一及び第二クランプレバー（１５）が実質的に閉じた位置に移動するときに、前記第一部位（１８）に解除可能に固定されることを特徴とする請求項３０に記載のロッドレスシリンダ。
【請求項４３】
ａ）前記第一及び第二クランプレバー（１５）は、第一部位（１８）と、第二部位（１９）と、前記第一部位（１８）をフレキシブルに前記第二部位（１９）に接合するフレックス領域（２０）とを備え、
ｂ）前記第一部位（１８）は、前記クランプ面（１９）と、柄（３２）及びフック（３３）を有する第一及び第二ロック部材（３０，３１）を有し、前記第一部位（１８）上の前記第一及び第二ロック部材（３０，３１）は、前記第一及び第二クランプレバー（１５）が実質的に閉じた位置に移動するときに、前記溝（１０５）に解除可能に固定され、
ｃ）前記第二部位（１９）は、柄（６５，６６）及びフック（６７）を有する第三及び第四ロック部材（６０，６１）を有し、前記第二部位（１９）上の前記第三及び第四ロック部材（６０，６１）は、前記クランプレバー（１５）が実質的に閉じた位置に移動するときに、前記第一部位（１８）に解除可能に固定され、
ｄ）前記第一及び第二エンドキャップ（１０２，１０４）の前記溝（１０５）には、前記第一及び第二クランプレバー（１５）の前記第二部位（１９）に渡って延びる少なくとも１つの張出し部（１０８及び／又は１０９）が設けられていること特徴とする請求項３０に記載のロッドレスシリンダ。
【発明の詳細な説明】
【技術分野】
【０００１】
本発明は、液体作動ロッドレスシリンダのためのクランプ機器に関する。
【背景技術】
【０００２】
液体作動ロッドレスシリンダは、ワークピースを移動させるのに有用である。ロッドレスシリンダは、一般的に円筒形又は非円筒形の本体内に置かれた変位可能なピストンを有している。ピストンは、典型的にはピストンヨークを介してスライダーに接続されている。スライダーは、少なくとも部分的に、シリンダ本体の外側に位置している。ピストンの水圧的又は空気圧的変位が生ずると、スライダー及びワークピースは、シリンダ本体の長手軸に沿って移動する。
【０００３】
水圧的及び空気圧的作動ロッドレスシリンダは、ピストンを変位させるのに液体又は空気を使用するので、本体に耐漏洩性を持たせることは重要である。漏れを防止するために、ロッドレスシリンダは、一般的に一対のエンドキャップとシールストリップを備えている。エンドキャップは、本体の端に配置されており、シールストリップは、本体の軸方向に沿ってエンドキャップ間に延設される。
【発明の概要】
【発明が解決しようとする課題】
【０００４】
本体に対する密封性を確実にするための現状の方法は、多くの部材を有しており、組み立てる時間が無駄である。本発明は、現在製造されている液体作動ワークシリンダに固有のこの欠点及び他の欠点を克服するよう意図された。
【課題を解決するための手段】
【０００５】
本発明の範囲は、添付の請求の範囲のみにより画定され、この概要内の論述によりいくらも影響されない。簡単に言及すると、本発明は、シールストリップを有するロッドレスシリンダのためのエンドキャップに関する。エンドキャップは、エンドキャップ本体及び溝を備えている。エンドキャップ本体は、シリンダ本体に封着されるように構成されている。溝は、エンドキャップ本体に形成され、シールストリップを受け入れるように構成されている。エンドキャップは、エンドキャップ本体に軸着されるクランプレバーを備え、クランプレバーは、実質的に閉じた位置に移動するときに、溝内において、シールストリップをクランプするクランプ面を有している。
【０００６】
本発明の一様相は、シールストリップを有するロッドレスシリンダのためのエンドキャップであって、
ａ）シリンダ本体に封着されるように構成されたエンドキャップ本体と、
ｂ）前記エンドキャップ本体に形成され、前記シールストリップを受け入れるように構成された溝と、
ｃ）前記エンドキャップ本体に軸着されるクランプレバーと、
を備え、
前記クランプレバーは、実質的に閉じた位置に移動するときに、前記溝内において、前記シールストリップを少なくとも部分的にクランプするクランプ面を有していることを特徴とするエンドキャップを含んでいる。
【０００７】
好適には、前記溝は、前記エンドキャップを形成する１面以上の壁を備える。
好適には、前記クランプレバーは、前記エンドキャップ上の前記溝に解除可能に固定されている。
【０００８】
好適には、前記クランプレバーを解除可能に固定する、前記クランプレバーに設けられた１つ以上のロック部材である。
好適には、前記エンドキャップにパチッと掛止する柄及びフックを有する、前記クランプレバー上の少なくとも１つのロック部材である。
【０００９】
好適には、前記クランプレバーにパチッと掛止する柄及びフックを有する、前記クランプレバー上の少なくとも１つのロック部材である。
好適には、閉じる方向への前記クランプレバーの回転を制限する、前記クランプレバーに設けられたストッパーである。
【００１０】
好適には、前記クランプ面は、前記クランプレバーの回転軸に対して離心している。
好適には、前記クランプレバーは、実質的に閉じた位置に移動するときに、前記シールストリップに対して張力を与える。
【００１１】
好適には、前記クランプレバーの下側は、前記クランプレバーの剛性を高める複数のリブを備えている。
好適には、前記クランプレバーの下側は、前記クランプレバーの剛性を高める格子構造を形成する複数のリブを備えている。
【００１２】
好適には、前記クランプレバーは、
ａ）第一部位と、第二部位と、前記第一部位をフレキシブルに前記第二部位に接合するフレックス領域とを備え、
ｂ）前記第一部位は、前記クランプ面を有し、前記クランプレバーが実質的に閉じた位置に移動するときに、前記エンドキャップに解除可能に固定され、
ｃ）前記第二部位は、前記クランプレバーが実質的に閉じた位置に移動するときに、前記第一部位に解除可能に固定される。
【００１３】
好適には、ａ）前記クランプレバーは、第一部位と、第二部位と、前記第一部位をフレキシブルに前記第二部位に接合するフレックス領域とを備え、
ｂ）前記第一部位は、前記クランプ面を有し、前記クランプレバーが実質的に閉じた位置に移動するときに、前記エンドキャップに解除可能に固定され、
ｃ）前記第二部位は、前記クランプレバーが実質的に閉じた位置に移動するときに、前記第一部位に解除可能に固定され、
ｄ）前記溝には、前記クランプレバーの前記第二部位に渡って延びる少なくとも１つの張出し部が設けられているロッドレスシリンダのためのエンドキャップである。
【００１４】
好適には、前記クランプレバーは、
ａ）第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一及び第二ロック部材は、前記クランプレバーが実質的に閉じた位置に移動するときに、前記クランプレバーを前記溝に解除可能に固定し、
ｃ）前記第二部位は、柄及びフックを有する第三及び第四ロック部材を有し、前記第三及び第四ロック部材は、前記クランプレバーが実質的に閉じた位置に移動するときに、前記第二部位を前記第一部位に解除可能に固定する。
【００１５】
好適には、ａ）前記クランプレバーは、第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一及び第二ロック部材は、前記クランプレバーが実質的に閉じた位置に移動するときに、前記クランプレバーを前記溝に解除可能に固定し、
ｃ）前記第二部位は、柄及びフックを有する第三及び第四ロック部材を有し、前記第三及び第四ロック部材は、前記クランプレバーが実質的に閉じた位置に移動するときに、前記第二部位を前記第一部位に解除可能に固定し、
ｄ）前記溝には、前記クランプレバーの前記第二部位に渡って延びる少なくとも１つの張出し部が設けられているロッドレスシリンダのためのエンドキャップである。
【００１６】
本発明の他の様相は、ａ）第一端部、第二端部、及びスロットが設けられたシリンダ本体と、
ｂ）前記スロットを実質的に密封するように構成されたシールストリップと、
ｃ）前記シリンダ本体の前記第一及び第二端部に封着される第一及び第二エンドキャップと、
を備え、
i）第一及び第二溝が、前記第一及び第二エンドキャップ内に形成され、前記シールストリップを受け入れるように構成され、
ii）第一及び第二クランプレバーが、前記第一及び第二エンドキャップに軸着され、前記第一及び第二クランプレバーが実質的に閉じた位置に移動するときに、前記溝内において、前記シールストリップを少なくとも部分的にクランプするクランプ面を有することを特徴とするロッドレスシリンダを備える。
【００１７】
好適には、前記溝は、前記エンドキャップを形成する１面以上の壁を備える。
好適には、前記第一及び第二クランプレバーは、前記第一及び第二エンドキャップ上の前記溝に解除可能に固定されている。
【００１８】
好適には、前記クランプレバーを解除可能に固定する、前記第一クランプレバー及び前記第二クランプレバーに設けられた少なくとも１つのロック部材である。
好適には、前記エンドキャップにパチッと掛止する柄及びフックを有する、前記第一クランプレバー及び前記第二クランプレバー上の少なくとも１つのロック部材である。
【００１９】
好適には、前記クランプレバーにパチッと掛止する柄及びフックを有する、前記第一クランプレバー及び第二クランプレバー上の少なくとも１つのロック部材である。
好適には、開く方向への前記クランプレバーの回転を制限する、前記第一及び第二クランプレバーに設けられたストッパーである。
【００２０】
好適には、前記第一及び第二クランプレバーの前記クランプ面は、前記クランプレバーの回転軸に対して離心している。
好適には、前記第一及び第二クランプレバーの下側は、前記第一及び第二クランプレバーの剛性を高める複数のリブを備えている。
【００２１】
好適には、前記第一及び第二クランプレバーの下側は、前記第一及び第二クランプレバーの剛性を高める格子構造を形成する複数のリブを備えている。
好適には、前記第一及び第二クランプレバーは、
ａ）第一部位と、第二部位と、前記第一部位をフレキシブルに前記第二部位に接合するフレックス領域とを備え、
ｂ）前記第一部位は、前記クランプ面を有し、前記第一及び第二クランプレバーが実質的に閉じた位置に移動するときに、前記エンドキャップに解除可能に固定され、
ｃ）前記第二部位は、前記第一及び第二クランプレバーが実質的に閉じた位置に移動するときに、前記第一部位に解除可能に固定される。
【００２２】
好適には、ａ）前記第一及び第二クランプレバーは、第一部位と、第二部位と、前記第一部位をフレキシブルに前記第二部位に接合するフレックス領域とを備え、
ｂ）前記第一部位は、前記クランプ面を有し、前記第一及び第二クランプレバーが実質的に閉じた位置に移動するときに、前記エンドキャップに解除可能に固定され、
ｃ）前記第二部位は、前記第一及び第二クランプレバーが実質的に閉じた位置に移動するときに、前記第一部位に解除可能に固定され、
ｄ）前記第一及び第二エンドキャップの前記溝には、前記第一及び第二クランプレバーの前記第二部位に渡って延びる少なくとも１つの張出し部が設けられているロッドレスシリンダである。
【００２３】
好適には、前記第一及び第二クランプレバーは、
ａ）第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一部位上の前記第一及び第二ロック部材は、前記第一及び第二クランプレバーが実質的に閉じた位置に移動するときに、前記溝に解除可能に固定され、
ｃ）前記第二部位は、柄及びフックを有する第三及び第四ロック部材を有し、前記第二部位上の前記第三及び第四ロック部材は、前記第一及び第二クランプレバーが実質的に閉じた位置に移動するときに、前記第一部位に解除可能に固定される。
【００２４】
好適には、ａ）前記第一及び第二クランプレバーは、第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一部位上の前記第一及び第二ロック部材は、前記第一及び第二クランプレバーが実質的に閉じた位置に移動するときに、前記溝に解除可能に固定され、
ｃ）前記第二部位は、柄及びフックを有する第三及び第四ロック部材を有し、前記第二部位上の前記第三及び第四ロック部材は、前記クランプレバーが実質的に閉じた位置に移動するときに、前記第一部位に解除可能に固定され、
ｄ）前記第一及び第二エンドキャップの前記溝には、前記第一及び第二クランプレバーの前記第二部位に渡って延びる少なくとも１つの張出し部が設けられているロッドレスシリンダである。
【００２５】
本発明の他の様相は、ａ）第一端部、第二端部、及びスロットが設けられたシリンダ本体と、
ｂ）前記スロットを実質的に密封するように構成されたシールストリップと、
ｃ）前記シリンダ本体の前記第一及び第二端部に封着される第一及び第二エンドキャップと、
を備え、
i）第一及び第二溝が、前記第一及び第二エンドキャップ内に形成され、前記シールストリップを受け入れるように構成され、
ii）第一及び第二クランプレバーが、前記第一及び第二エンドキャップに軸着され、前記第一及び第二クランプレバーが実質的に閉じた位置に移動するときに、前記溝内において、前記シールストリップを少なくとも部分的にクランプし、前記シールストリップに張力を印加するクランプ面を有することを特徴とするロッドレスシリンダを備える。
【００２６】
好適には、前記溝は、前記エンドキャップを形成する１面以上の壁を備える。
好適には、前記第一及び第二クランプレバーは、前記第一及び第二エンドキャップ上の前記溝に解除可能に固定されている。
【００２７】
好適には、前記クランプレバーを解除可能に固定する、前記第一クランプレバー及び前記第二クランプレバーに設けられた少なくとも１つのロック部材である。
好適には、前記エンドキャップにパチッと掛止する柄及びフックを有する、前記第一クランプレバー及び前記第二クランプレバー上の少なくとも１つのロック部材である。
【００２８】
好適には、前記クランプレバーにパチッと掛止する柄及びフックを有する、前記第一クランプレバー及び第二クランプレバー上の少なくとも１つのロック部材である。
好適には、開く方向への前記クランプレバーの回転を制限する、前記第一及び第二クランプレバーに設けられたストッパーである。
【００２９】
好適には、前記第一及び第二クランプレバーの前記クランプ面は、前記クランプレバーの回転軸に対して離心している。
好適には、前記第一及び第二クランプレバーの下側は、前記第一及び第二クランプレバーの剛性を高める複数のリブを備えている。
【００３０】
好適には、前記第一及び第二クランプレバーの下側は、前記第一及び第二クランプレバーの剛性を高める格子構造を形成する複数のリブを備えている。
好適には、前記第一及び第二クランプレバーは、
ａ）第一部位と、第二部位と、前記第一部位をフレキシブルに前記第二部位に接合するフレックス領域とを備え、
ｂ）前記第一部位は、前記クランプ面を有し、前記第一及び第二クランプレバーが実質的に閉じた位置に移動するときに、前記エンドキャップに解除可能に固定され、
ｃ）前記第二部位は、前記第一及び第二クランプレバーが実質的に閉じた位置に移動するときに、前記第一部位に解除可能に固定される。
【００３１】
好適には、ａ）前記第一及び第二クランプレバーは、第一部位と、第二部位と、前記第一部位をフレキシブルに前記第二部位に接合するフレックス領域とを備え、
ｂ）前記第一部位は、前記クランプ面を有し、前記第一及び第二クランプレバーが実質的に閉じた位置に移動するときに、前記エンドキャップに解除可能に固定され、
ｃ）前記第二部位は、前記第一及び第二クランプレバーが実質的に閉じた位置に移動するときに、前記第一部位に解除可能に固定され、
ｄ）前記第一及び第二エンドキャップの前記溝には、前記第一及び第二クランプレバーの前記第二部位に渡って延びる少なくとも１つの張出し部が設けられているロッドレスシリンダである。
【００３２】
好適には、前記第一及び第二クランプレバーは、
ａ）第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一部位上の前記第一及び第二ロック部材は、前記第一及び第二クランプレバーが実質的に閉じた位置に移動するときに、前記溝に解除可能に固定され、
ｃ）前記第二部位は、柄及びフックを有する第三及び第四ロック部材を有し、前記第二部位上の前記第三及び第四ロック部材は、前記第一及び第二クランプレバーが実質的に閉じた位置に移動するときに、前記第一部位に解除可能に固定される。
【００３３】
好適には、ａ）前記第一及び第二クランプレバーは、第一部位と、第二部位と、前記第一部位をフレキシブルに前記第二部位に接合するフレックス領域とを備え、
ｂ）前記第一部位は、前記クランプ面と、柄及びフックを有する第一及び第二ロック部材を有し、前記第一部位上の前記第一及び第二ロック部材は、前記第一及び第二クランプレバーが実質的に閉じた位置に移動するときに、前記溝に解除可能に固定され、
ｃ）前記第二部位は、柄及びフックを有する第三及び第四ロック部材を有し、前記第二部位上の前記第三及び第四ロック部材は、前記クランプレバーが実質的に閉じた位置に移動するときに、前記第一部位に解除可能に固定され、
ｄ）前記第一及び第二エンドキャップの前記溝には、前記第一及び第二クランプレバーの前記第二部位に渡って延びる少なくとも１つの張出し部が設けられているロッドレスシリンダである。
【図面の簡単な説明】
【００３４】
【図１】図１は、本発明のここで示す好適な実施形態による、エンドキャップ及びクランプレバーを有するロッドレスシリンダの斜視図である。
【図２】図２は、ここで示す好適な実施形態のエンドキャップの斜視図である。
【図３】図３は、ここで示す好適な実施形態のエンドキャップ及びクランプレバーの斜視図である。
【図４】図４は、ここで示す好適な実施形態のエンドキャップの平面図である。
【図５】図５は、ここで示す好適な実施形態のエンドキャップ及びクランプレバーの一部断面を含む側面図であり、閉じた位置にあるクランプレバーを示している。
【図６】図６は、ここで示す好適な実施形態のクランプレバーの下側を示す斜視図である。
【図７】図７は、ここで示す好適な実施形態のクランプレバーの側面図である。
【図８】図８は、ここで示す好適な実施形態のクランプレバーの斜視図である。
【図９】図９は、ここで示す好適な実施形態のクランプレバーの斜視図であり、閉じた位置にあるクランプレバーを示している。
【図１０】図１０は、ここで示す好適な実施形態のクランプレバー、エンドキャップ、及びシール部材の斜視図であり、クランプレバーがシールストリップをクランプしているところを示している。
【図１１】図１１は、ここで示す好適な他の実施形態の開いた位置にあるクランプレバーの断面図である。
【図１２】図１２は、ここで示す好適な他の実施形態の閉じた位置にあるクランプレバーの断面図である。
【発明を実施するための形態】
【００３５】
そこで図１に戻ると、ここで示す好適な実施形態の特徴を具現化するロッドレスシリンダ１００が示されている。示されているように、そのロッドレスシリンダは、シリンダ本体１０１、シール部材１１０、スライダー１１１、第一エンドキャップ１０２、及び第二エンドキャップ１０４を備えている。示されるように、エンドキャップ１０２，１０４には、クランプレバー１５が設けられている。
【００３６】
本実施形態の一様相によれば、エンドキャップ１０２，１０４は、クランプレバー１５と協働してシールストリップ１１０をクランプしている。ここで示す好適な実施形態の他の様相によれば、エンドキャップ１０２，１０４がクランプレバー１５と協働することにより、シールストリップ１１０に張力が掛かるようになっている。有利な点として、クランプレバー１５は、エンドキャップ１０２，１０４に旋回的に搭載されており、それによりクランプレバー１５は、開いた位置から閉じた位置に回転可能であり、それによりそれらは、シールストリップ１０をクランプして張力が掛かった状態にする。
【００３７】
図２に示すように、ここで示す好適な実施形態の第一及び第二エンドキャップ１０２，１０４は、溝１０５を画定している。溝１０５は、第一及び第二エンドキャップ１０２，１０４がロッドレスシリンダ１００に取り付けられたときに、ロッドレスシリンダ１００の１０３の軸と実質的に同じ方向に延びるように、位置付けされる。ここで示す好適な実施形態の一様相によれば、溝１０５は、シールストリップ１１０を受け入れるような形状となっている。ここで示す好適な実施形態の他の様相によれば、溝１０５は、クランプレバー１５を受け入れるような形状となっている。
【００３８】
ここで示す好適な実施形態においては、溝１０５は、複数の壁１０７ａ−１０７ｉにより画定される。壁１０７ａ−１０７ｉは、シールストリップ１１０及びクランプレバー１５を受け入れるような形状となっている。図１０に示されるように、壁１０７ｅは、この実施形態では溝１０５の底部としての機能が描かれているのであるが、好ましくは階段面１０６を有していることが好ましい。ここで示す好適な実施形態においては、溝１０５は、壁１０７ａ−１０７ｉにより画定されているのであるが、当業者であれば、１枚の壁でも何枚に壁でも本発明の範囲内にある、ということが認識できるであろう。限定はされないのであるが例として、溝１０５は、１つの連続する一般曲面により画定されることもできる。加えて、溝１０５の壁１０７ｅは、階段面１０６を設けることなく製作できるし、又は複数の階段面１０６を設けることも可能である。
【００３９】
ここで示す好適な実施形態の一様相によれば、溝１０５は、クランプレバー１５が回転して実質的に閉じた位置にくると、それを解除可能に固定するように構成される。図４に示すように、溝１０５内にあるのは、好ましくは第一及び第二固定部材８０，８１である。ここで示す好適な実施形態においては、第一及び第二固定部材８０，８１は、溝１０５の壁１０７ｅから突出している。ここで図５にいくと、第一及び第二固定部材８０，８１は、肩部１２２及び受け面１２３を有している。有利な点としては、肩部１２２及び受け面１２３は、クランプレバー１５が実質的に閉じた位置にあるとき、クランプレバー１５の第一部位１８上の第一及び第二固定ロック部材３０，３１がそれらに解除可能にパチッと掛止するように、形状が決められて位置決めされる。図５は、第一ロック部材３０のみが第一固定部材８０にパチッと掛止しているところを示しているが、当業者であれば、ここで示す好適な実施形態においては、第二ロック部材３１も同様に第二固定部材８１にパチッと掛止することが理解できるであろう。
【００４０】
図２に示すように、溝１０５は、好ましくは、第一及び第二張出し部１０８，１０９を有している。ここで示す好適な実施形態の一様相によれば、第一及び第二張出し部１０８，１０９は、クランプレバー１５上に設けられている第三及び第四ロック部材６０，６１が、クランプレバー１５上の設けられた第一及び第二固定部材６２，６３から容易に解放されるような形状となっている。有利な点としては、第一及び第二張出し部１０８，１０９があることから、クランプレバー１５が閉じた位置から開いた位置に回転するときに、第三及び第四ロック部材６０，６１が第一及び第二固定部材６２，６３に引きずられて動くことがないことが保証される、ということである。
【００４１】
図３に示すように、張出し部１０８，１０９は、クランプレバー１５の第二部位１９上に設けられた一対の脚７０，７１を覆って延びるような形状となっている。図６に示すように、クランプレバー１５の下側１７の脚７０，７１の内側面７２上にあるのは、第三及び第四ロック部材６０，６１である。クランプレバー１５が実質的に閉じた位置にあるときには、図５に示すように、第三及び第四ロック部材６０，６１は、クランプレバー１５の下側１７に設けられた第一及び第二固定部材６２，６３にパチッと掛止するような形状と位置付けになっている。図３に示すように、第三及び第四ロック部材６０，６１がパチッと掛止するとき、クランプレバー１５の第二部位１９の外側面１３は、エンドキャップ１０２，１０４の端面１６０と実質的に面一となるように好ましくは位置付けされる。図５は、第三ロック部材６０のみが第一固定部材６２にパチッと掛止する様子を描いているが、当業者であれば、ここで示す好適な実施形態においては、第四ロック部材６１も同様に第二固定部材にパチッと掛止することが理解できるであろう。
【００４２】
ここで示す好適な実施形態の一様相によれば、第三及び第四ロック部材６０，６１は、第一及び第二固定部材６２，６３に解除可能に固定される。好適な実施形態においては、第三及び第四ロック部材６０，６１は、クランプレバー１５が開いた位置の方へ移動すると、第一及び第二固定部材６２，６３から手動で解放されるような構成となっている。しかしながら、他の実施形態においては、ロック部材６０，６１は、クランプレバー１５が開いた位置の方へ移動すると、第一及び第二固定部材６２，６３から自動で解放されるような構成となっていてもよい。
【００４３】
ここで示す好適な実施形態の他の様相によれば、溝１０５は、クランプレバー１５が溝１０５内に旋回的に搭載されるように構成されている。ここで示す好適な実施形態においては、ここで示す好適な実施形態の溝１０５は、一対の軸受けを有しており、その１つが図２において参照番号１１１で示されている。軸受け１１１は、溝１０５の壁１０７ａ−ｈの１つに形成された通常の円筒形の窪みにより好ましくは画定される。図２に示すように、軸受け１１１は、溝１０５の壁１０７ｃ内に画定されている。好適な実施形態においては、対向する第二軸受け（図示せず）は、溝１０５の、図２の壁１０７ｆのように、それらの壁の他の１つに画定されている。ここで示す好適な実施形態においては、第一軸受け１１１及び第二軸受け（図示せず）は、クランプレバー１５に設けられた第一及び第二軸首２６，２７を回転可能な状態で受け入れるように位置付けされる。
【００４４】
ここで示す好適な実施形態においては、第一軸受け１１１及び第二軸受け（図示せず）が第一及び第二軸首２６，２７を回転可能な状態で受け入れ、それによりクランプ１５に回転軸１４を与えるようになっているが、当業者であれば、他の構成によりクランプレバー１５に回転軸１４を与えることも本発明の範囲内にあるということが理解できるであろう。限定はされないのであるが例として、クランプレバー１５には、溝１０５に設けられた１つ以上の軸首と協働する１つ以上の軸受けが設けられていてもよい。
【００４５】
図６−９は、クランプレバー１５のここで示す好適な実施形態を示している。示されるように、クランプレバー１５は、第一部位１８、第二部位１９、及びフレックス領域２０を備えている。ここで示す好適な実施形態においては、フレックス領域２０は、第一及び第二部位１８，１９をフレキシブルに接続している。
【００４６】
ここで示す好適な実施形態の一様相によれば、クランプレバー１５は、第一及び第二エンドキャップ１０２，１０４に旋回的に搭載されるように構成される。図６−９に示されるように、クランプレバー１５は、好ましくは第一及び第二軸首２６，２７を有しており、それらは、ここで示す好適な実施形態においては、第一部位１８上に位置している。第一及び第二軸首２６，２７は、それぞれ、溝１０５内の第一軸受け１１１及び第二軸受け（図示せず）に受け入れられるような形状となっている。描かれた実施形態においては、軸首２６，２７は、形状は通常の円筒形であり、クランプレバーの対向面から、クランプレバー１５の軸１６に関して一般的に垂直な方向に延びている。
【００４７】
ここで示す好適な実施形態の一様相によれば、クランプレバー１５は、エンドキャップ１０２，１０４に解除可能に固定されるように構成されている。図６−９に示すように、ここで示す好適な実施形態においては、クランプレバー１５の下側１７には、第一及び第二ロック部材３０，３１が設けられており、それらは、ここで示す好適な実施形態においては、第一部位１８上に置かれている。図５に示すように、第一及び第二ロック部材３０，３１は、溝１０５内に設けられた第一及び第二固定部材８０，８１に解除可能に固定されるような形状と位置付けになっている。示される通り、ここで示す好適な実施形態においては、第一及び第二ロック部材３０，３１は、第一及び第二固定部材８０，８１にパチッと掛止する柄３２及びフック３３を有している。図５に示すように、第一及び第二ロック部材３０，３１が解除可能に固定されると、フック３３は、固定部材８０，８１の受け面１２３の下に掛止する。
【００４８】
好適には、図５及び６に示すように、クランプレバー１５の下側１７には、第一及び第二接触面３４，３５が設けられており、それらは、第一及び第二ロック部材３０，３１が解除可能に固定されるとき、第一及び第二固定部材８０，８１の上側面８５に実質的に接触するように配置される。ここで示す好適な実施形態においては、第一及び第二接触面３４，３５は、クランプレバー１５の閉じた方向への回転を制限するストッパーの役割を果たす。
【００４９】
ここで示す好適な実施形態の他の様相によれば、クランプレバー１５の第一部位１８は、クランプレバー１５の第二部位１９に解除可能に固定されるように構成される。図６−９に示すように、クランプレバー１５の下側１７上に配置されているのは、第三及び第四ロック部材６０，６１並びに第一及び第二固定部材６２，６３である。示されているように、第三及び第四ロック部材６０，６１は、第一柄６５、第二柄６６、及びフック６７を有している。描かれた実施形態においては、柄６６は、第一柄６５からある角度をもって延びている。また、図７に示すように、第一及び第二固定部材６２，６３は、肩部６８及び受け面６９を有している。
【００５０】
好適な実施形態においては、第三及び第四ロック部材６０，６１は、第二部位１９に配置されており、第一及び第二固定部材６２，６３は第一部位１８に配置されている。有利な点として、フレックス領域２０により、第一及び第二部位１８，１９は、互いに対して回転することができ、それにより、図５に示すように、第三及び第四ロック部材６０，６１は、第一及び第二固定部材６２，６３と接触してパチッと掛止する。示すように、第三及び第四ロック部材６０，６１が解除可能に固定されると、フック６７は、受け面６９に渡って延びる。図５は、第三ロック部材６０が第一固定部材６２にパチッと掛止することのみを描いているが、当業者であれば、ここで示す好適な実施形態においては、第四ロック部材６１も同様に第二固定部材６３にパチッと掛止するということが理解できるであろう。
【００５１】
ここで示す好適な実施形態の一様相によれば、クランプレバー１５の第一部位１８の下側１７は、クランプレバー１５に高い剛性を与えるように構成されている。図６に示されるように、ここで示す好適な実施形態においては、下側１７には、複数のリブ５０が設けられている。描かれた実施形態においては、下側１７は、軸方向に延びた複数のリブ５０を有しており、それらは、好ましくはクランプレバー１５の内側端４１に形成されたリップ５２から延びている。また、描かれた好適な実施形態に示されるように、下側１７には、クランプレバー１５上の格子構造５２を形成している複数のリブ５０が備わっている。
【００５２】
本実施形態の一様相によれば、クランプレバー１５は、シールストリップ１１０をクランプするように構成される。ここで示す好適な実施形態の他の様相によれば、クランプレバー１５は、シールストリップ１１０に張力を与えるように構成されている。図６に示すように、クランプレバー１５の第一部位１８の下側１７には、クランプ面９０がある。ここで示す好適な実施形態においては、クランプ面９０は、ローブ８９（図１０に示される）の端部のところにあり、第一部位１８の回転軸１４に対して中心が外されて、又は離心して位置付けられるように配置されている。ここで示す好適な実施形態においては、クランプ面９０は、僅かに丸くなっている。ここで示す好適な実施形態においては、クランプ面９０は、僅かに丸い形状となっているが、当業者であれば、他の形状のクランプ面９０も本発明の範囲内にあるということが理解できるであろう。限定はされないのであるが例として、クランプ面９０は、目地仕上面及び／又は型押模様面であってもよい。
【００５３】
図１０は、クランプレバー１５の内側端部に、シールストリップ１１０方向にかかる力に応じて、実質的に閉じる位置の方向に回転するクランプレバー１５を示している。ここで示す好適な実施形態の一様相によれば、クランプレバー１５が閉じた位置の方へ回転するとき、クランプ面９０は、シールストリップ１１０の上面に接触し、シールストリップ１１０を溝１０５内にシールストリップ１１０をクランプする。ここで示す好適な実施形態の他の様相によれば、クランプレバー１５が閉じた位置の方へ回転するとき、クランプ面９０は、シールストリップ１１０に接触し、シールストリップ１１０の軸方向であってエンドキャップ１０２，１０４の端面１６０の方への動きを誘発する。従って、クランプレバー１５が閉じた位置の方へ回転するとき、一対のクランプレバー１５は、シールストリップ１１０に軸方向張力を誘発する。回転が続くと、張力とクランプ力の量は、接触面３４，３５が固定部材８０，８１の上面８５に接触し、保持部材３０，３１及び６０，６１が固定部材８０，８１及び６２，６３にパチッと掛止して、十分な量となるまで、増加する。
【００５４】
ここで示す好適な実施形態においては、エンドキャップ１０２，１０４は、圧力ダイカストされるアルミニウムから製造され、クランプレバー１５は、プラスチックから製造される。しかしながら、エンドキャップ１０２，１０４及びクランプレバー１５を他の適した手段又は材料を使用して製造することも、本発明の範囲内にある。限定はされないのであるが例として、エンドキャップ１０２，１０４は、機械加工によって製造してもよい。
【００５５】
ここで示す好適な実施形態においては、クランプレバー１５は、第一部位１８、第二部位１９、及びフレックス領域２０を有しているが、本発明の範囲は、それに限定されない。限定はされないのであるが例として、図１１及び１２は、第二部位１９及びフレックス領域２０を有していない他の実施形態を示している。示される通り、クランプレバーの外側端は、クランプレバーが開いた位置の方へ回転するときにそのクランプレバー１５の回転を制限するストッパー５１を有する。
【００５６】
本発明は、各種の実施形態を参照して特に示され、記述されてきたが、当業者であれば、添付の請求の範囲で規定された発明の精神及び範囲から逸脱することなく、形態及び詳細の各種変更が可能であることが理解されるであろう。好適な原理を教示する目的で、いくつかの従来からの様相は簡略化されるか、又は省略された。当業者であれば、これらの例から、発明の範囲内にあるバリエーションを認識できるであろう。当業者であれば、上述の特徴は、いろいろな方法で組み合わされ、発明の複数のバリエーションを形成できることが認識できるであろう。その結果、発明は、上述の特定の例に限定されることはなく、請求項及びそれらの等価物のみにより画定される。
【図１】
2010523905.tif 000003
【図２】
2010523905.tif 000004
【図３】
2010523905.tif 000005
【図４】
2010523905.tif 000006
【図５】
2010523905.tif 000007
【図６】
2010523905.tif 000008
【図７】
2010523905.tif 000009
【図８】
2010523905.tif 000010
【図９】
2010523905.tif 000011
【図１０】
2010523905.tif 000012
【図１１】
2010523905.tif 000013
【図１２】
2010523905.tif 000014
【国際調査報告】
2010523905.tif 000015
2010523905.tif 000016